(57)【要約】【課題】地震等によりドア枠が変形しドア１０とドア枠２０が強固に固着されドアの開放が困難になった場合に、人力によりドアとドア枠の固着を解除可能なドア開放装置を提供する。【解決手段】回転軸線３５ａのまわりに回動可能な押出し部材３２、押出し部材を回動可能に支持すると共にドア枠２０に固定されるケース８０、及び押出し部材３２を定常位置から押出し位置へ回動させる操作レバー７０を備え、押出し部材３２は、定常位置においては戸先部１２のドア枠２０への近接を妨げず、押出し位置へ回動されるときドアの室内側の戸先部１２の所定部分に接触し戸先部１２をドア枠２０から離間させ、それにより、ドアとドア枠の間の固着状態を解除する。【選択図】図２
2009035870.tif 000002
【特許請求の範囲】
【請求項１】
ドアの吊元部がドア枠に枢着されドアの戸先部がドア枠に離間又は近接するようにドアが枢動可能なドア構造体におけるドアとドア枠の間の固着状態を解除するためのドア開放装置であって、
回転軸線のまわりに回動可能な押出し部材、押出し部材を回動可能に支持すると共にドア枠に固定されるケース、及び押出し部材を定常位置から押出し位置へ回動させる操作レバーを備え、
押出し部材は、定常位置においては戸先部のドア枠への近接を妨げず、押出し位置へ回動されるときドアの室内側の戸先部の所定部分に接触し戸先部をドア枠から離間させ、それにより、ドアとドア枠の間の固着状態を解除することを特徴とするドア開放装置。
【請求項２】
前記ケースがドア枠の上方戸先隅部に固定されることを特徴とする請求項１に記載のドア開放装置。
【請求項３】
前記押出し部材が定常位置から回転角度の増大に従ってカム半径、即ち回転軸線と周面との間の距離、が増大するカムからなり、カムが定常位置から所定角度回転されたとき、増大されたカム半径がカムの回転軸線と前記戸先部の所定部分との間に位置され、それにより前記戸先部の所定部分がカムの回転軸線から所定距離だけ移動されることを特徴とする請求項１又は２のドア開放装置。
【請求項４】
前記カムの回転軸線と操作レバーの把持部の間の距離（Ｓ）に対するカムの最大カム半径（Ｒ）との比（Ｓ／Ｒ）が２以上であり、カムの周面が樹脂層により被覆されることを特徴とする請求項３のドア開放装置。
【請求項５】
前記操作レバーはその一端をカムに固定され、他端を上から下へ引き下げることによりカムを回転軸線のまわりに定常位置から３０°以上の角度において回転可能であるように構成されることを特徴とする請求項３又は４に記載のドア開放装置。
【請求項６】
前記ケースがドア枠の下方戸先隅部に固定されることを特徴とする請求項１に記載のドア開放装置。
【請求項７】
前記押出し部材が定常位置から回転角度の増大に従ってカム半径が増大するカムからなり、カムが定常位置から所定角度回転されたとき、増大されたカム半径がカムの回転軸線と前記戸先部の所定部分との間に位置され、それにより前記戸先部の所定部分がカムの回転軸線から所定距離だけ移動され、ドアとドア枠の間の固着状態が解除されることを特徴とする請求項６のドア開放装置。
【請求項８】
前記操作レバーはその一端をカムに固定され、他端を上から下へ押し下げることによりカムを回転軸線のまわりに定常位置から３０°以上の角度において回転可能であるように構成されることを特徴とする請求項６又は７に記載のドア開放装置。
【請求項９】
前記操作レバーが折り曲げ可能部を有することを特徴とする請求項６に記載のドア開放装置
【請求項１０】
前記カムの回転軸線とペダルとの間の距離（Ｓ）に対するカムの最大カム半径（Ｒ）との比（Ｓ／Ｒ）が２以上であり、カムの周面が樹脂層により被覆されることを特徴とする請求項７乃至９のいずれか１項に記載のドア開放装置。
【請求項１１】
前記カムは回転軸線のまわりに定常位置から１５０度以下の角度において回転可能である請求項３乃至５及び７乃至１０のいずれか１項に記載のドア開放装置。
【請求項１２】
請求項１乃至１１のいずれか１項に記載のドア開放装置を備えたドア構造体。
【発明の詳細な説明】
【技術分野】
【０００１】
本発明は、地震等によりドア枠等が変形しドアとドア枠が強固に固定された場合にドアを強制的に開放するためのドア開放装置に関する。より詳細には、本発明は、ドアとドア枠が強固に固着されドアの開放が困難になった場合に、増大された操作力（人力）によりドアとドア枠の固着を解除しドア本体をドア枠から移動させ開放可能にするドア開放装置に関する。本発明は、特に、マンションの玄関等に使用される鋼製ドアと鋼製ドア枠が強固に固着されたときにドアとドア枠を増大された作動力により相対移動させて固着状態を解除するドア開放装置に関する。
【背景技術】
【０００２】
高層住宅を含む建造物の玄関ドアなどには、鋼製ドアが一般に広く用いられている。このような鋼製ドア及びドア枠からなるドア構造体にあっては、地震によりドア構造体の周囲の壁その他が変形すると、ドア、ドア枠、更にドアの蝶番が変形し、ドアが開放不能になり、住人が室内に閉じ込められ、避難、救助が困難になる場合があった。
【０００３】
地震その他の力によりドア周囲の壁等が変形してもドアを開放可能にする技術は、従来、例えば、特許文献１乃至３により提案された。特許文献１は、ドアの外外周面における室内側部分をテーパ面部とし、残り部分を平坦面部とし、ドア枠の内周面に、ドアの外周面のテーパ面部及び平坦面部に対応する形状のテーパ面部及び平坦面部を設けることを開示する。特許文献２は、ドア本体の周側辺及び該周辺に対向するドア用枠の内周側にテーパ部分を形成して、耐震性能を付与することを開示する。特許文献３は、ドア本体の自由端側の角部に取り外し自在なコーナー部材を設け、地震によってドア枠とドア本体とが圧着状態に陥った場合、コーナー部材を取り外すことによりドア枠とドア本体の間に間隙を設けることを開示する。
【特許文献１】特開平８−３３３９６３号公報
【特許文献２】特開平９−３１７３４０号公報
【特許文献３】特開平９−１３８３０号公報
【発明の開示】
【発明が解決しようとする課題】
【０００４】
従来の耐震ドアにおいて、ドアの上面の室内側部分をテーパ面部とし、残りの部分を平坦面部としたものは、ドア枠の変形によりドアの上面の平坦面部がドア枠に強く挟み込まれドアを開けることができなくなる問題があった。また、ドアの下面にテーパを設けると、それに伴ってドア枠の高さが高くなりバリアフリー住宅には不適であった。また、既設のドア装置のドア本体及びドア枠を地震等により固定されないように改造するのは、従来の技術では、多くの手数を要し、また部材の設置により通路を狭くする等の短所があった。
【０００５】
本発明は、これらの従来技術の耐震ドアの問題点を解決し、地震等によるドアの開放不能状態を解消するため、既存のドアに容易に装着可能なドアの開放装置を提供することを目的とする。本発明の目的は、増大された作動力により、高齢者にも容易にドアの固着状態を解消することができるドア開放装置を提供することにある。本発明の目的は、ドア構造体の外観を損ねることことのないように室内側に配置可能な開放装置を提供することにある。本発明の目的は、また信頼性のあるドア開放装置の設置により地震時の避難の緊急性を緩和し、居住者に安心感を提供することができるドア開放装置を提供することにある。
【０００６】
本発明の目的は、ドア外部から水圧が作用するような状況においても、増大された作動力でドアの固着（不動）状態を解消しドアを開放して、人がドアを通過し避難することを可能にすることにある。本発明のその他の目的及び利点は、特許請求の範囲の記載及び図面及び発明の詳細な説明において明らかにされる。
【課題を解決するための手段】
【０００７】
本発明のドア開放装置は、ドアの吊元部がドア枠に枢着されドアの戸先部がドア枠に離間又は近接するようにドアが枢動可能なドア構造体におけるドアとドア枠の間の固着状態を解除するためのものである。本発明のドア開放装置は、回転軸線のまわりに回動可能な押出し部材、押出し部材を回動可能に支持すると共にドア枠に固定されるケース、及び押出し部材を定常位置から押出し位置へ回動させる操作レバーを備え、押出し部材は、定常位置においては戸先部のドア枠への近接を妨げず、押出し位置へ回動されるときドアの室内側の戸先部の所定部分に接触し戸先部をドア枠から離間させ、それにより、ドアとドア枠の間の固着状態が解除される。本発明は、更に本発明のドア開放装置を備えたドア構造体に存する。
【０００８】
本発明のドア開放装置は、次の特徴を備えことができる。（１）前記ケースがドア枠の上方戸先隅部に固定される。（２）前記押出し部材が定常位置から回転角度の増大に従ってカム半径、即ち回転軸線と周面との間の距離、が増大するカムからなり、カムが定常位置から所定角度回転されたとき、増大されたカム半径がカムの回転軸線と前記戸先部の所定部分との間に位置され、それにより前記戸先部の所定部分がカムの回転軸線から所定距離だけ移動される。（３）前記カムの回転軸線と操作レバーの把持部の間の距離（Ｓ）に対するカムの最大カム半径（Ｒ）との比（Ｓ／Ｒ）が２以上であり、カムの周面が樹脂層により被覆される。（４）前記操作レバーはその一端をカムに固定され、他端を上から下へ引き下げることによりカムを回転軸線のまわりに定常位置から３０°以上の角度において回転可能であるように構成される。
【０００９】
本発明のドア開放装置は、上記（１）から（４）に代えて、又は加えて、次の構成を備えることができる。（５）前記ケースがドア枠の下方戸先隅部に固定される。（６）前記押出し部材が定常位置から回転角度の増大に従ってカム半径が増大するカムからなり、カムが定常位置から所定角度回転されたとき、増大されたカム半径がカムの回転軸線と前記戸先部の所定部分との間に位置され、それにより前記戸先部の所定部分がカムの回転軸線から所定距離だけ移動され、ドアとドア枠の間の固着状態が解除される。（７）前記操作レバーはその一端をカムに固定され、他端を上から下へ押し下げることによりカムを回転軸線のまわりに定常位置から３０°以上の角度において回転可能であるように構成される。（８）前記操作レバーが折り曲げ可能部を有する。（９）前記カムの回転軸線とペダルとの間の距離（Ｓ）に対するカムの最大カム半径（Ｒ）との比（Ｓ／Ｒ）が２以上であり、カムの周面が樹脂層により被覆される。（１０）前記カムは回転軸線のまわりに定常位置から１５０度以下の角度において回転可能である。
【発明を実施するための最良の形態】
【００１０】
図面を参照し本発明の実施の態様を説明する。図面において、同様な部材には、同様な符号を付し、重複説明を省略する。図１は、本発明の第１実施例のドア開放装置３０、３０を設けたドア構造体１を室内側から見た概略正面図であり、ドア開放装置３０、３０がドア枠２０の上方戸先隅部２８ａ付近と下方戸先隅部２８ｂ付近にそれぞれ設けられた図である。図２は、図１の線II‐IIに沿った垂直面における枠上部のドア開放装置３０の概略垂直断面図であり、押出し部材（カム）３２が定常位置にある状態を示す。図３は、図１の線II‐IIに沿った垂直面における枠下部のドア開放装置３０の概略垂直断面図であり、カム３２が押出し位置にある状態を示す。
【００１１】
図１に示すように、ドア構造体１は、ドア１０の吊元部（図示しない）がドア枠２０に枢着され、ドアの戸先部１２がドア枠２０に離間又は近接するようにドア１０が枢動可能にされる。ドア１０は、上縁部１１ａ、下縁部１１ｂ、戸先部１２、上方戸先隅部１８ａ、下方戸先隅部１８ｂを含む。ドア枠２０は、枠上部２１ａ、枠下部２１ｂ、戸先部２２、上方戸先隅部２８ａ、下方戸先隅部２８ｂを含む。図２の垂直断面に最も良く示されるように、枠上部２１ａは、上方突条部２５、上方突条部２５の底面から伸長する上方板状部２６、パッキン２９を有する。
【００１２】
図１に示すように、本発明のドア開放装置３０，３０は、枠２０の上方戸先隅部２８ａ及び下方戸先隅部２８ｂにそれぞれ１つずつ固定され、地震等によりドア枠２０が変形し、ドア１０とドア枠２０との間に固着状態が生じた場合、操作レバー７０を人手又は人脚により操作力Ｆで操作し、ドアの上方戸先隅部１８ａを枠の上方戸先隅部２８ａから強力に押出すことにより、又はドアの下方戸先隅部１８ｂを枠の下方戸先隅部２８ｂから押出し力Ｗ（図３）で強力に押出すことにより、固着状態を解除しドア１０を開放可能にしようとするものである。ドア開放装置３０は、上方戸先隅部２８ａ及び下方戸先隅部２８ｂの一方に設けることにより足りることが多いと考えられるが、信頼性を高めるため両隅部にそれぞれ設置するのが好ましい。
【００１３】
図２、図３に示すように、本発明のドア開放装置３０は、回転軸線３５ａのまわりに回動可能な押出し部材３２、押出し部材３２を回動可能に支持すると共にドア枠２０に固定されるケース８０、及び押出し部材３２を定常位置（図２）から押出し位置（図３）へ回動させる操作レバー７０を備える。後述するように、押出し部材３２は、回転軸線３５ａを含む軸３５、周面３３、及び係合突部３８を含むカムとすることが好適である。係合突部３８は、操作レバー７０の接続端７１に接続可能にされる。
【００１４】
押出し部材３２は、図２に示す定常位置においては、戸先部１２のドア枠２０への近接を妨げないが、押出し位置（図３）へ回動されると、押出し部材３２の一部がドアの室内側の戸先部の所定部分１２ｃ（図３）に接触し、戸先部の所定部分１２ｃをドア枠２０から離間させ、それにより、ドア１０とドア枠２０との間の固着状態を解除する。１つのドア開放装置３０のケース８０は、ドア枠２０の上方戸先隅部２８ａに固定される。他のドア開放装置３０のケース８０は、ドア枠２０の下方戸先隅部２８ｂに固定される。ドア枠２０の上方戸先隅部２８ａ及び下方戸先隅部２８ｂのいずれかにドア開放装置を取付けることによって、地震等によるドア１０とドア枠２０との間の固着状態を解除できる可能性があるが、好ましくは、ドア枠２０の上方戸先隅部２８ａ及び下方戸先隅部２８ｂの両方にそれぞれドア開放装置を設置し、一方だけで固着状態の解除ができない場合、他方のドア開放装置を使用可能にすることが適当である。
【００１５】
押出し部材３２は、回転軸線３５ａと周面３３との間の距離（半径ｒ）が変化するカムとすることができる。カム３２の形状は、回転軸線３５ａのまわりの回転角度の増大に従ってカム半径ｒ、即ち回転軸線と周面との間の距離、が増大するようにされる。カム３２が定常位置から所定角度回転されたとき、最大カム半径Ｒがカムの回転軸線３５ａと戸先部の所定部分１２ｃ（図３，図４）との間に位置され、それに伴い戸先部の所定部分１２ｃが回転軸線３５ａから所定距離、例えば３ｃｍだけ移動される。地震等によるドア１０とドア枠２０との間の固着状態は、多くの場合、ドア１０とドア枠２０とを相対的に３ｃｍほど移動させることにより解消可能である。
【００１６】
本発明のドア開放装置３０、３０は、人手（人力Ｆ）により操作レバー７０を操作しカム３２を回動させる構造である。力の弱い高齢者によっても操作可能であるように、操作レバー７０の寸法、即ち回転軸線３５ａと把持部７２‘の間の距離Ｓを大きくし、カムの最大カム半径Ｒとの比Ｓ／Ｒを大きくし、増幅した力によりカムを回転させることが可能にされる。カムの最大カム半径Ｒは、例えば７ｃｍとすることができるので、この場合、操作レバー７０の寸法Ｓは、１４ｃｍ以上が好適である。比Ｓ／Ｒは、２以上が好ましい。Ｒは、例えば４０ｃｍとされる。
【００１７】
図２のドア開放装置３０において、操作レバー７０は、接続端７１、第１伸長部７２及び第２伸長部７４を含み、接続端７１がカム３２の係合突部３８に係合され、第２伸長部７４が人手に把持される把持部７２‘を形成する。図２のドア開放装置３０において、把持部７２’を人手により上から下へ矢印７７方向に操作力Ｆで引き下げることによりカム３２が回転軸線のまわりで定常位置（図２のカムの位置）から３０°以上の角度にわたり回転される。カム３２が回転されると、回転軸線３５ａとドア１０の室内側表面との間の距離（カム半径ｓ）が増大される。最大カム半径Ｒ（図５）は、対応するカム周面がドア１０の所定部分１２ｃに衝合する（図３と同様の配置となる）とき、ドア１０の所定部分１２ｃをドア枠２０から所定距離、例えば３ｃｍだけ押出すように決定される。
【００１８】
図３のドア開放装置３０は、下方戸先隅部２８ｂに固定されている点以外は、上方戸先隅部２８ｂに固定されたドア開放装置３０とほぼ同様の構成を備える。図２において、カム３２は、定常位置に位置されているが、図３においてカム３２は、押出し位置に位置され、ドア１０を押出した状態を示す。図２の垂直断面に示すように、ドア枠２０の枠上部２１ａは、上方突条部２５ａ、上方突条部２５ａの下方から伸長する上方板状部２６ａ、及びパッキン２９を具備する。操作レバー７０は、第１伸長部７２に曲がり部７３を介して足により踏下すためのペダル７５が接続される。曲がり部７３は、蝶番等を用いて構成され、ペダル７５が、床面に接触した後、床面に沿って伸長可能にされる。
【００１９】
図４は、図３の矢印IV‐IV方向から見た開放装置３０の概略水平断面図であり、カム３２が押出し位置にある状態を示す。図４の水平断面図に示すように、枠の戸先部２２は、側方突条部２３、側方突条部２３から伸長する側方板状部２４、パッキン（図示しない）を具備する。図４から明らかなように、回転軸線３５ａとペダル７５との間の距離Ｓを比較的大きくし、カムの最大カム半径Ｒとの比Ｓ／Ｒを大きくすることにより、増幅した力によりカム３２を回転させることが可能である。
【００２０】
ドア開放装置３０のケース８０は、図２の垂直断面に示すように、上方水平壁部８３ａと一体の上折返し部８５ａがドア枠２０の上方戸先隅部２８ａの近くの上方板上部２６ａに係合され、且つ、図４の水平断面に示すように、垂直壁８４ｂと一体の側折返し部８６ａがドア枠２０の上方戸先隅部２８ａの近くの側方板上部２４に係合されることにより、枠２０の上方戸先隅部２８ａ付近に固定される。図２のドア開放装置３０のケース８０は、好ましくは、補強材８８を具備する。
【００２１】
図５は、本発明の第２実施例の枠下部の開放装置３０の概略垂直断面図であり、カムが定常位置にある状態を示す。図５の開放装置３０において、カム３２は、その周面３４が樹脂層３３により被覆され、それにより、カム周面が図示しないドアの表面と接触しながら回転するときの摩擦抵抗が減少される。樹脂層３３は、例えば厚さ０．５ｍｍである。操作レバー７０に接続される係合突部３８を取巻いて環状の溝３７が設けられている。この溝３７は、それがない場合に比べて係合突部３８と操作レバー７０の接続端７１との係合個所の寸法を大きくすることにより、カム３２と操作レバー７０との係合をより確実にするものである。更にカム３２とケースの垂直壁８１の間にストッパー３９が配置され、ケースの垂直壁８１に対しカム３２の正常位置における位置決めを容易にする。
【００２２】
図６は、本発明の第３実施例の枠下部の開放装置３０の概略斜視図であり、カムが定常位置にある状態を示す。図６の開放装置３０において、カム３２は、板状部材３２ａ及び筒状部材３２ｂにより構成される。操作レバー７０は、第１伸長部７２及びペダル７５を有する。操作レバー７０は、カム３２を回動させるとき、ケース８０の上方水平壁８３ａ、垂直壁８１に設けた開口８２を通り運動する。
【００２３】
図７は、本発明の第４実施例の枠下部の開放装置３０の概略斜視図であり、操作レバーの定常位置（図７上方の操作レバー７０）及び作動位置における状態を示す。図７において、操作レバー７０は、第１伸長部７２と第２伸長部７４との間に蝶番７３ａを用いた曲がり部７３が設けられ、操作レバー７０の第２伸長部７４が床面１４へ接触したとき、第２伸長部７４が床面１４に平行に配置され、曲がり部７３を床面１４付近まで下降させることを可能にし、曲がり部７３を設けない場合に比べ、回転角度を大きくすることを可能にする。
【００２４】
本発明によれば、地震等によりドア枠が変形し、ドアとドア枠が固着状態となり、室内の人の避難、救助ができなくなる状態を、比較的簡単な構造のドア開放装置により、ドアとドア枠の間の固着状態を解除し、解決することができる。また。本発明のドア開放装置は、比較的力の弱い人によっても固着状態を解消し、ドアを開放状態とすることが可能であるので、マンションの玄関ドア用に好適である。
【図面の簡単な説明】
【００２５】
【図１】本発明の第１実施例のドア構造体を室内側から見た概略正面図であり、開放装置（ケースをドア枠に固着）がドア枠の上方戸先隅部と下方戸先隅部にそれぞれ設けられた図である。
【図２】図１の線II‐IIに沿った垂直面における枠上部の開放装置３０の概略垂直断面図であり、カムが定常位置にある状態を示す。
【図３】図１の線II‐IIに沿った垂直面における枠下部の開放装置３０の概略垂直断面図であり、カムが作動位置にある状態を示す。
【図４】図３の矢印IV‐IV方向から見た開放装置３０の概略水平断面図であり、カムが作動位置にある状態を示す。
【図５】本発明の第２実施例の枠下部の開放装置３０の概略垂直断面図であり、カムが定常位置にある状態を示す。
【図６】本発明の第３実施例の枠下部の開放装置３０の概略斜視図であり、カムが定常位置にある状態を示す。
【図７】本発明の第４実施例の枠下部の開放装置３０の概略斜視図であり、操作レバーの定常位置及び作動位置における状態を示す。
【符号の説明】
【００２６】
１：ドア構造体、１０：ドア、１１：上縁部、１１ｂ：下縁部、１２：戸先部、１２ｃ：所定部分、１４：床面、１８ａ：ドアの上方戸先隅部、１８ｂ：ドアの下方戸先隅部、２０：ドア枠、２１ａ：枠上部、２１ｂ：枠下部、２２：枠の戸先部、２３：側方突条部、２４：側方板状部、２５：上方突条部、２５ｂ：下方突条部、２６：上方板状部、２８ａ：枠の上方戸先隅部、２８ｂ：枠の上方戸先隅部、２９：パッキン、３０：ドア開放装置、３２：カム（押出し部材）、３３：樹脂層、３４：周面、３５：回転シャフト、３５ａ：回転軸線、３７：溝、３８：係合突部、３９：ストッパ、７０：操作レバー、７１：接続端、７２：第１伸長部、７２‘：把持部、７３：曲がり部、７４：第２伸長部、７５：ペダル、７７：作動方向、８０：ケース、８１：垂直壁、８２：開口、８３ａ：上方水平壁、８３ｂ：下方水平壁、８４ａ：垂直壁、８４ｂ：垂直壁、８５ａ：上折返し部、８５ｂ：下折返し部、８６：側折返し部、８８：補強材、Ｆ：操作力、Ｗ：押出し力。
【図１】
2009035870.tif 000003
【図２】
2009035870.tif 000004
【図３】
2009035870.tif 000005
【図４】
2009035870.tif 000006
【図５】
2009035870.tif 000007
【図６】
2009035870.tif 000008
【図７】
2009035870.tif 000009